【手続補正書】
【提出日】平成16年4月22日(2004.4.22)
【手続補正１】
【補正対象書類名】明細書
【補正対象項目名】特許請求の範囲
【補正方法】変更
【補正の内容】
【特許請求の範囲】
【請求項１】
変調装置と、該変調装置によって変調された光を投写する投写光学系とを有するプロジェクタにおいて、
前記変調装置は、冷却液を有する冷却器と接しており、
前記冷却器の略鉛直方向の反対方向から略鉛直方向に向かって冷却風が流れるように冷却ファンが配置されることを特徴とするプロジェクタ。
【請求項２】
変調装置と、前記変調装置の入射側に配置された入射側偏光手段と、前記変調装置の射出側に配置された射出側偏光手段と、前記変調装置によって変調された光を投写する投写光学系とを有するプロジェクタにおいて、
前記変調装置、入射側偏光手段、射出側偏光手段のうち少なくとも１つは、冷却液を有する冷却器と接しており、
前記冷却器の略鉛直方向の反対方向から略鉛直方向に向かって冷却風が流れるように冷却ファンが配置されることを特徴とするプロジェクタ。
【請求項３】
３色の色光を各々変調する３つの変調装置と、該３つの変調装置により変調された色光を合成するプリズムと、該プリズムにより合成された光を投写する投写光学系とを有するプロジェクタにおいて、
前記３つの変調装置は、前記プリズムの３つの入射面に沿ってそれぞれ配置され、かつ、冷却液を有する冷却器と接しており、
前記冷却器の略鉛直方向の反対方向から略鉛直方向に向かって冷却風が流れるように冷却ファンが配置されることを特徴とするプロジェクタ。
【請求項４】
３色の色光を各々変調する３つの変調装置と、前記変調装置の入射側に配置された入射側偏光手段と、前記変調装置の射出側に配置された射出側偏光手段と、前記３つの変調装置により変調された色光を合成するプリズムと、前記プリズムにより合成された光を投写する投写光学系とを有するプロジェクタにおいて、
前記３つの変調装置は、前記プリズムの３つの入射面に沿ってそれぞれ配置されており、
前記３つの変調装置、入射側偏光手段、射出側偏光手段のうち少なくとも１つは冷却液を有する冷却器と接しており、
前記冷却器の略鉛直方向の反対方向から略鉛直方向に向かって冷却風が流れるように冷却ファンが配置されることを特徴とするプロジェクタ。
【請求項５】
請求項１乃至請求項４のいずれかに記載のプロジェクタにおいて、前記冷却ファンは、前記冷却器の略鉛直方向の反対方向に配置され、冷却風を前記冷却器の略鉛直方向の反対方向から吹き付けることを特徴とするプロジェクタ。
【請求項６】
請求項１乃至請求項４のいずれかに記載のプロジェクタにおいて、前記冷却ファンは複数個存在し、該冷却ファンのいくつかは、前記冷却器の略鉛直方向の反対方向から略鉛直方向に向かって冷却風が流れるように、冷却器周りに向かって冷却風を送り込み、該冷却ファンの残りのいくつかは、前記冷却器の略鉛直方向の反対方向から略鉛直方向に向かって冷却風が流れるように、冷却器周りから冷却風を引き抜くことを特徴とするプロジェクタ。
【請求項７】
請求項１乃至請求項６のいずれかに記載のプロジェクタにおいて、前記冷却ファンは、前記冷却風の流れる向きを反転するための手段を備えることを特徴とするプロジェクタ。
【請求項８】
請求項１乃至請求項７のいずれかに記載のプロジェクタにおいて、前記冷却器は、略上下対称な形状であることを特徴とするプロジェクタ。
【請求項９】
請求項３または４に記載のプロジェクタにおいて、前記冷却器は板状の放熱フィンを有し、
前記放熱フィンの板面は、主に前記冷却風の流れに沿って配置され、かつ各冷却器が対応する前記プリズム入射面に対して角度を有して延伸することを特徴とするプロジェクタ。
【請求項１０】
請求項９に記載のプロジェクタにおいて、前記角度は、隣り合う前記入射面によって規定されるプリズムのコーナー角の略半分の角度であることを特徴とするプロジェクタ。
【請求項１１】
請求項３または４に記載のプロジェクタにおいて、前記冷却器は板状の放熱フィンを有し、
前記放熱フィンの板面は、主に前記冷却風の流れに沿って配置され、前記プリズムの射出面と隣り合う入射面にある冷却器の有する前記放熱フィンは、前記投写光学系と干渉しない方向に延伸することを特徴とするプロジェクタ。
【請求項１２】
請求項１１に記載のプロジェクタにおいて、前記方向は、前記射出面と略平行な方向であることを特徴とするプロジェクタ。
【手続補正２】
【補正対象書類名】明細書
【補正対象項目名】０００９
【補正方法】変更
【補正の内容】
【０００９】
【課題を解決するための手段】
上記問題点を解決するために、本発明第１のプロジェクタは、変調装置と、該変調装置によって変調された光を投写する投写光学系とを有するプロジェクタにおいて、前記変調装置は、冷却液を有する冷却器と接しており、前記冷却器の略鉛直方向の反対方向から略鉛直方向に向かって冷却風が流れるように冷却ファンが配置されることを特徴とする。また、本発明第２のプロジェクタは、変調装置と、前記変調装置の入射側に配置された入射側偏光手段と、前記変調装置の射出側に配置された射出側偏光手段と、前記変調装置によって変調された光を投写する投写光学系とを有するプロジェクタにおいて、前記変調装置、入射側偏光手段、射出側偏光手段のうち少なくとも１つは、冷却液を有する冷却器と接しており、前記冷却器の略鉛直方向の反対方向から略鉛直方向に向かって冷却風が流れるように冷却ファンが配置されることを特徴とする。


【手続補正３】
【補正対象書類名】明細書
【補正対象項目名】００１１
【補正方法】変更
【補正の内容】
【００１１】
本発明第３のプロジェクタは、３色の色光を各々変調する３つの変調装置と、該３つの変調装置により変調された色光を合成するプリズムと、該プリズムにより合成された光を投写する投写光学系とを有するプロジェクタにおいて、前記３つの変調装置は、前記プリズムの３つの入射面に沿ってそれぞれ配置され、かつ、冷却液を有する冷却器と接しており、前記冷却器の略鉛直方向の反対方向から略鉛直方向に向かって冷却風が流れるように冷却ファンが配置されることを特徴とする。また、本発明第４のプロジェクタは、３色の色光を各々変調する３つの変調装置と、前記変調装置の入射側に配置された入射側偏光手段と、前記変調装置の射出側に配置された射出側偏光手段と、前記３つの変調装置により変調された色光を合成するプリズムと、前記プリズムにより合成された光を投写する投写光学系とを有するプロジェクタにおいて、前記３つの変調装置は、前記プリズムの３つの入射面に沿ってそれぞれ配置されており、前記３つの変調装置、入射側偏光手段、射出側偏光手段のうち少なくとも１つは冷却液を有する冷却器と接しており、前記冷却器の略鉛直方向の反対方向から略鉛直方向に向かって冷却風が流れるように冷却ファンが配置されることを特徴とする。


【手続補正４】
【補正対象書類名】明細書
【補正対象項目名】００１３
【補正方法】変更
【補正の内容】
【００１３】
また、本発明のプロジェクタにおいて、冷却ファンは、冷却器の略鉛直方向の反対方向に配置され、冷却風を前記冷却器の略鉛直方向の反対方向から吹き付けることが好ましい。


【手続補正５】
【補正対象書類名】明細書
【補正対象項目名】００１４
【補正方法】変更
【補正の内容】
【００１４】
このような構成によれば、冷却器の略鉛直方向の反対方向から略鉛直方向に向かって冷却風が流れると同時に、冷却器の上面に冷却風が積極的に当たるため、冷却器の上部が下部に比べてさらに良く冷える。したがって、内部の温度分布の差がさらに小さい状態で、変調装置や偏光手段の温度上昇を抑制することができる。


【手続補正６】
【補正対象書類名】明細書
【補正対象項目名】００１５
【補正方法】変更
【補正の内容】
【００１５】
また、本発明のプロジェクタにおいて、冷却ファンは複数個存在し、該冷却ファンのいくつかは、冷却器の略鉛直方向の反対方向から略鉛直方向に向かって冷却風が流れるように、冷却器周りに向かって冷却風を送り込み、該冷却ファンの残りのいくつかは、前記冷却器の略鉛直方向の反対方向から略鉛直方向に向かって冷却風が流れるように、冷却器周りから冷却風を引き抜くことが好ましい。


【手続補正７】
【補正対象書類名】明細書
【補正対象項目名】００１８
【補正方法】変更
【補正の内容】
【００１８】
このような構成によれば、プロジェクタを上下反転させて使用する場合、例えば、室内の天井に上下反転させた状態でプロジェクタを設置して使用するときに、冷却器の略鉛直方向から略鉛直方向の反対方向に向かって冷却風が流れる構造になっても、冷却ファンが冷却風の流れる向きを反転するための手段を備えるため、冷却風を冷却器の略鉛直方向の反対方向から略鉛直方向に向かって流れるようにすることできる。したがって、プロジェクタを上下反転させて使用する場合においても、前述のように内部の温度分布の差が小さい状態で、変調装置や偏光手段の温度上昇を抑制することができる。